(57)【特許請求の範囲】
【請求項１】
回転軸によって軸回り駆動される指針に対応して設けられる透光性の表示意匠部を有する表示部材と、
この表示部材の背後に配置され前記表示意匠部を透過照明する点状の光源と、
この光源と前記表示部材との間に配置され前記光源からの光を前記表示意匠部に導く導光体とを備え、
前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、
前記第２の円錐面は前記回転軸に対する傾斜角が互いに異なる第１の反射面と第２の反射面とを有することを特徴とする照明装置。
【請求項２】
回転軸によって軸回り駆動される指針に対応して設けられる透光性の表示意匠部を有する表示部材と、
この表示部材の背後に配置され前記表示意匠部を透過照明する点状の光源と、
この光源と前記表示部材との間に配置され前記光源からの光を前記表示意匠部に導く導光体とを備え、
前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、
前記第２の円錐面に、この部分を通じて前記導光体外に透過する光を抑制する反射処理部または反射膜を形成したことを特徴とする照明装置。
【請求項３】
回転軸によって軸回り駆動される指針に対応して設けられる透光性の表示意匠部を有する表示部材と、
この表示部材の背後に配置され前記表示意匠部を透過照明する点状の光源と、
この光源と前記表示部材との間に配置され前記光源からの光を前記表示意匠部に導く導光体とを備え、
前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、
少なくとも前記第２の円錐面を反射体によって覆ってなることを特徴とする照明装置。
【請求項４】
回転軸によって軸回り駆動される指針に対応して設けられる透光性の表示意匠部を有する表示部材と、
この表示部材の背後に配置され前記表示意匠部を透過照明する点状の光源と、
この光源と前記表示部材との間に配置され前記光源からの光を前記表示意匠部に導く導光体とを備え、
前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、
前記受光面が前記光源の光軸中心に対応する第１の受光面と、前記光軸中心を外れた位置に設けられる第２の受光面とを有し、前記第２の受光面が前記光軸中心を取り巻く円錐面からなることを特徴とする照明装置。
【請求項５】
前記導光体が少なくとも前記表示意匠部を含む大きさの円弧面に形成され前記光源の光を前記表示意匠部に照射する照射面を有し、前記第２の円錐面が前記照射面に対応する大きさで前記第１の円錐面からの光を前記照射面に向けて反射することを特徴とする請求項１から請求項４のうち何れか一つに記載の照明装置。
【請求項６】
前記第２の円錐面が前記回転軸を中心とする円錐面であることを特徴とする請求項１から請求項５のうち何れか一つに記載の照明装置。
【発明の詳細な説明】
【０００１】
【発明の属する技術分野】
本発明は、例えば車両に搭載される指針式計器の目盛り板のごとき表示部材の照明装置に係わる。
【０００２】
【従来の技術】
従来、指針式計器にあっては、所定の駆動装置に設けられた回転軸に指針を装着し、この指針の背後に、指針に対応した円弧状の目盛、文字などの表示意匠部が設けられた目盛り板のごとき表示部材を配置し、この表示部材の背後に光源と導光体を配置し、この導光体によって光源からの光を表示部材に導いて表示意匠部を透過照明するものがある。
【０００３】
導光体はＰＣやＰＭＭＡ等からなる透明な合成樹脂が使用され、例えば特開平９−２１６５５号公報には、目盛り板に沿う平板状の導光体を用い、指針軸の近傍に設けた光源からの光を表示意匠部に導く照明装置が記載されている。
【０００４】
【発明が解決しようとする課題】
しかしながら、前記公報に代表される従来構造にあっては、例えば速度計、エンジン回転計、水温計、燃料計からなる表示意匠部のうち、一種類の表示意匠部に対し、複数個の光源を使用していたため、コスト高となってしまう。一方、単純に光源の数を削減すると、今度は表示意匠部の発光輝度を確保するのが難しくなり、例えば目盛り板の表面に形成した暗色のスモーク層や目盛り板の前面に別途配置した暗色のスモークパネル中に表示意匠部の透過照明像を表示するタイプの指針式計器では、表示意匠部を高輝度にて透過照明する必要があるため、光源が増加する傾向がある。
また最近では、点状の光源として、従来のタングステンランプのごとき白熱バルブに代わり、小型の発光ダイオードが使用されるようになってきており、発光ダイオードは白熱バルブと比較して、放射光の放射範囲や波長分布が狭いため、光源の数が増加する傾向にある。
【０００５】
そこで本発明は、導光体の構造に改良を加えることで、少ない数の点状光源にて表示意匠部を効率よく照明することが可能な照明装置を提供することを目的としている。
【０００６】
【課題を解決するための手段】
本発明は、前記目的を達成するため、回転軸によって軸回り駆動される指針に対応して設けられる透光性の表示意匠部を有する表示部材と、この表示部材の背後に配置され前記表示意匠部を透過照明する点状の光源と、この光源と前記表示部材との間に配置され前記光源からの光を前記表示意匠部に導く導光体とを備え、前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、前記第２の円錐面は前記回転軸に対する傾斜角が互いに異なる第１の反射面と第２の反射面とを有することを特徴とする。
【０００７】
また本発明は、前記目的を達成するため、回転軸によって軸回り駆動される指針に対応して設けられる透光性の表示意匠部を有する表示部材と、この表示部材の背後に配置され前記表示意匠部を透過照明する点状の光源と、この光源と前記表示部材との間に配置され前記光源からの光を前記表示意匠部に導く導光体とを備え、前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、前記第２の円錐面に、この部分を通じて前記導光体外に透過する光を抑制する反射処理部または反射膜を形成したことを特徴とする。
【０００８】
また本発明は、前記目的を達成するため、回転軸によって軸回り駆動される指針に対応して設けられる透光性の表示意匠部を有する表示部材と、この表示部材の背後に配置され前記表示意匠部を透過照明する点状の光源と、この光源と前記表示部材との間に配置され前記光源からの光を前記表示意匠部に導く導光体とを備え、前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、少なくとも前記第２の円錐面を反射体によって覆ってなることを特徴とする。
【０００９】
また本発明は、前記目的を達成するため、回転軸によって軸回り駆動される指針に対応して設けられる透光性の表示意匠部を有する表示部材と、この表示部材の背後に配置され前記表示意匠部を透過照明する点状の光源と、この光源と前記表示部材との間に配置され前記光源からの光を前記表示意匠部に導く導光体とを備え、前記導光体が前記光源からの光を導入する受光面と、この受光面から導入した光を放射方向に反射する第１の円錐面と、この第１の円錐面を取り巻くと共に少なくとも前記表示意匠部を含む大きさに形成され、前記第１の円錐面からの光を前記表示意匠部側に反射する第２の円錐面とを有し、前記受光面が前記光源の光軸中心に対応する第１の受光面と、前記光軸中心を外れた位置に設けられる第２の受光面とを有し、前記第２の受光面が前記光軸中心を取り巻く円錐面からなることを特徴とする。
【００１０】
また本発明は、前記導光体が少なくとも前記表示意匠部を含む大きさの円弧面に形成され前記光源の光を前記表示意匠部に照射する照射面を有し、前記第２の円錐面が前記照射面に対応する大きさで前記第１の円錐面からの光を前記照射面に向けて反射することを特徴とする。
【００１１】
また本発明は、前記第２の円錐面が前記回転軸を中心とする円錐面であることを特徴とする。
【００１２】
また本発明は、前記受光面が前記光源の光軸中心に対応する第１の受光面と、前記光軸中心を外れた位置に設けられる第２の受光面とを有し、前記第２の受光面が前記光軸中心を取り巻く円錐面からなることを特徴とする請求項１または請求項２記載の照明装置。
【００１３】
【発明の実施の形態】
本発明による照明装置は、駆動装置の回転軸によって軸回り駆動される指針に対応して、透光性の表示意匠部が円弧状に配列もしくは形成された表示部材と、この表示部材の背後に配置され表示意匠部を透過照明する点状の光源と、この光源と表示部材との間に光源からの光を表示意匠部に導く導光体とを備えている。光源は回転軸と表示意匠部との間に好ましくは一つだけ配置され、導光体は光源からの光を導入する受光面と、表示意匠部を含む大きさの円弧面に形成され光源の光を表示意匠部に照射する照射面と、受光面に対向しこの部分から導入した光を放射方向に反射する第１の円錐面と、この第１の円錐面を取り巻くように第１の円錐面と照射面との間に位置して表示意匠部を含む大きさに形成され第１の円錐面からの光を照射面に向けて反射する第２の円錐面とを有している。
【００１４】
このように導光体において、照射部と受光面との間に第１，第２の円錐面でなる２つの反射面を介在させることにより、少ない数の光源で円弧状に設けられた表示意匠部を効率よく照明することができる。
【００１５】
すなわち、受光面に対応する第１の円錐面によって、光源からの光は放射方向に略均一に反射、拡散され、このように反射、拡散された光は、表示意匠部を含む大きさに形成された第２の円錐面を通じて表示意匠部側に反射され、表示意匠部を効率良く照らす。これにより光源からの光を効率良く表示意匠部に導くことができるため、少ない数の光源で表示意匠部を効率よく照明することができる。
【００１６】
なお本発明において、円錐面とは、基本的には、回転軸と平行な特定の中心軸を基準とし、この中心軸とは異なる方向に延びる仮想線（直線のみならず曲線あるいは屈曲線であってもよい）を回転させて形成される円錐斜面を指すものであるが、必ずしも仮想線の回転に沿った正確な円錐斜面に限定されるものではなく、例えば仮想線の回転とは一致しない面が部分的に存在してもよいし、仮想線の回転とは若干ずれた円錐面であってもよく、要は第１の反射面が放射方向に光を反射（拡散反射）する円錐斜面であればよく、また第２の円錐面は指針動作に応じて円弧状に設けられた表示意匠部方向に光を反射する円錐斜面であればよい。
【００１７】
また通常、表示意匠部は、回転軸を中心とした円弧状に形成されるため、第２の円錐面を回転軸を中心とする円錐面に設定すると、照明効率を高めることができる。
【００１８】
また第２の円錐面は、回転軸に対する傾斜角が互いに異なる少なくとも第１の反射面と第２の反射面とで構成すると、照明効率を向上させる上で更に有利であり、例えば導光体を表示意匠部の視認方向から見たとき、第２の円錐面が一対の端部領域を有する半円状または扇形状に形成されている場合、少なくとも１つの端部領域の回転軸に対する傾斜角を他の領域の傾斜角よりも小さくなるように形成して、傾斜角の異なる第１，第２の反射面を形成すると、回転軸を基準とした円弧状の表示意匠部の中心と、光軸中心から外側に円形に広がる点状光源の発光特性上の中心とで、各々の中心位置が一致しないことに起因して生じる端部領域の輝度不足を補い、表示意匠部全体を効率的に照明することができる。
【００１９】
また第２の円錐面に、この部分を通じて導光体外に透過する光を抑制するシボ付け等による反射処理部か、白色系の印刷膜または塗装膜等による反射膜を形成しても、照明効率を向上させることができる。
【００２０】
また少なくとも第２の円錐面を含む導光体の周囲外面を反射体によって覆うことによっても、照明効率を向上させることができる。
【００２１】
また受光面は、光源からの光を導光体内に導入することができれば、任意の形状を採用できるが、光源の光軸中心に対応する第１の受光面と、光軸中心を外れた位置に設けられる第２の受光面とで２つの受光面を形成し、第２の受光面を光軸中心を取り巻く円錐面によって形成すると、導光体内に導入される光量を増加させることができ、照明効率を向上させることができる。このように第２の受光部を光源を取り巻く円錐面に形成する場合、受光面に、第１の受光面の外側に光源を取り巻く突出部を有し、この突出部の光源側壁面によって第２の受光面を形成すると有利である。一方、光源に対向する第１の受光面は、光源の光軸中心に対し直交方向に延びる平面に形成すると、効率よく導光体内に光を導入することができ、有利である。
【００２２】
なお、ここで光源の光軸中心に対応する第１の受光面とは、少なくとも光軸中心の延長線上に位置し、光軸中心付近の光を受光する受光面を指し、また光軸中心を外れた位置に設けられる第２の受光面とは、少なくとも光軸中心の延長線上には位置せず、光軸中心から所定角度傾いて放射された光を受光する受光面を指すものである。
【００２３】
【実施例】
以下、添付図面に基づいて、本発明の照明装置を自動車用コンビネーションメータの水温計に適用した場合を例に挙げて説明する。図１は本発明の第１の実施例における水温計の正面図、図２は図１のＡ−Ａ線に沿った断面図、図３は同上実施例に使用される導光体の正面図、図４は同上実施例に使用される導光体の背面図、図５は図３のＣ−Ｃ線に沿った断面図である。
【００２４】
図１及び図２において、水温計は、指針１、目盛り板２、第１の導光体３、反射体４、第２の導光体（導光体）５、回路基板６、駆動装置７及び光源（点状の光源）８，９とから構成されている。
【００２５】
指針１は、指示部１１と指針基部１２とを透光性の合成樹脂で一体に形成した指針本体１３と、指針基部１２を覆う遮光性の指針キャップ１４とからなる。指針基部１２には、光源８から受けた光を指示部１１方向に反射する指針反射面１５を備えている。このように構成することにより、光源８からの光で指示部１１が線状に発光する。
【００２６】
表示部材である目盛り板２は、指針１の背面に位置配置され、透光性の合成樹脂からなる板状のベース板２１を備えている。ベース板２１の所定部には駆動装置７から伸びる回転軸７１が露出する貫通孔２２を備えている。目盛り板２の前面側には、例えば白色の透光性インクにより、文字、目盛、マークなどの表示意匠部２３が形成され、この表示意匠部２３は、指針１の動作に対応した円弧状の水温計意匠を形成する。また表示意匠部２３を除いて遮光性のインクにより、暗色（本実施例の場合、黒色）の遮光層２４が形成されており、表示意匠部２３以外は光が透過しないようになっている。
なお目盛り板２の背面側には、図示しないが表示意匠部２３を除いて例えば白色のインクにより、反射層が形成されている。この反射層は白色に限定されるものではなく、光を反射するのに適した層であれば、どのようなものでもよく、例えば、銀色などのメタリック調でもよい。
【００２７】
第１の導光体３は、ＰＣやＰＭＭＡ等の透光性の合成樹脂からなり、指針１の基部１２と光源８との間に配置され、光源８の光を指針１の基部１２に導くものである。この導光体３は、回転軸７１を取り巻く筒状に形成され、基部１２に対向する出射部３１は、光源８から導入した光を効率よく基部１２に供給できるように、断面形状が凸レンズ形状である。
【００２８】
反射体４は、白色で遮光性を有する合成樹脂からなり、回転軸７１及び第１の導光体３の周囲を取り巻くと共に光源８を収納する筒部４１と、後に詳述する第２の導光体５を背後から支持する反射壁部４２とを有し、筒部４１は光源８の光を効率的に指針１に導くための指針照明室として機能し、また反射壁部４２は、第２の導光体５から外部に漏れ出る光を第２の導光体５側に反射する反射板として機能する。
【００２９】
第２の導光体５は、第１の導光体３と一体部品からなり、図示しない連結部を介して第１の導光体３に連続し、目盛り板２と光源９（反射壁部４２）との間に配置されている。この導光体５は、図３に示した平面視において略扇形に形成され、その扇形の元部となる箇所に、光源９に対向し光源９からの光を受光して導光体５の内部に導入する受光面５１が形成され、この受光面５１から取り入れた光を表示意匠部２３に沿って円弧状に広がる照射面５２から放射させ、表示意匠部２３を透過照明するよう構成されている。なお図３において、Ｂ−Ｂ線は、図１におけるＡ−Ａ線に一致している。
【００３０】
受光面５１と照射面５２との間には、図２、図５に示すように、受光面５１を通じて入射した光源９からの光を目盛り板２方向に向けて次第に放射状に広がるように導光する光導入部５３と、受光面５１に対向し光導入部５３を通じて導入された光を回転軸７１から離れる方向に向けて放射状に反射・拡散する第１の円錐面５４と、この第１の円錐面５４を通じて反射された光を回転軸７１から離れる方向に導光する導光部５５と、第１の円錐面５４と照射面５２との間に位置し導光部５５を通じて導かれた光を照射面５２（表示意匠部２３）側に反射する第２の円錐面５６とが形成されている。
【００３１】
この場合、第１の円錐面５４は、回転軸７１と平行で且つ導光体５の受光面５１をわずかに外れた回転軸７１側位置を通る中心軸Ｌ１を中心とし、この中心軸Ｌ１とは異なる方向に延びる仮想線（わずかにカーブがかかった曲線）を回転させて形成される円錐斜面からなり、第２の円錐面５６は、表示意匠部２３の中心を通って回転軸７１と平行な中心軸Ｌ２を中心とし、この中心軸Ｌ２とは異なる方向に延びる仮想線（直線）を回転させて形成される円錐斜面からなり、第２の円錐面５６は第１の円錐面５４の外側に位置し且つ第１の円錐面５４を取り巻くように形成されている。なお図４において、受光面５１は、中心軸Ｌ１を中心とした扇形平面に形成され、照射面５２は、中心軸Ｌ２を中心とした扇形平面に形成され、双方とも後述する光軸中心の延長方向とは直交する方向に延びている。
【００３２】
また本例では、照射面５２と第２の円錐面５６は、図３に示した平面視において、表示意匠部２３の全体を含む大きさの円弧面に形成され、このうち第２の円錐面５６は、その円弧状円錐面の中央部と両端部とでは、回転軸７１に対する傾斜角θ１，θ２（図２，図５参照）が異なるように設定されている。すなわち、中央領域に位置する円錐面となる第１の反射面５６１は、その傾斜角θ１が例えば略４５度に設定され、両端領域に位置する円錐面となる第２の反射面５６２は、その傾斜角θ１が例えば略３５度〜４３度に設定されている。
【００３３】
これは、表示意匠部２３が指針１の動作に対応して中心軸Ｌ２を基準（中心）とした円弧状に設けられるのに対し、光源９は光軸中心Ｌ３から放射状（円形）に広がる発光特性（図３中、光源９それ自体の有効照明範囲Ｅ参照）を有しており、照明対象となる表示意匠部２３の中心（中心軸Ｌ２）と、これを照明する光源９の中心（光軸中心Ｌ３）とが一致しないことに起因して生じる表示意匠部２３の両端部の輝度不足に対処したものである。
【００３４】
すなわち、光源９それ自体の有効照明範囲Ｅ（この範囲自体は光源９の種類や特性、表示意匠部２３との距離に応じて大きさが異なる）は、本例の場合、図３に示す通りであるが、この有効照明範囲Ｅが光軸中心Ｌ３を中心とした円形であるのに対して、表示意匠部２３は中心軸Ｌ２を中心とした円弧状に形成されるため、光源９の有効照明範囲Ｅから表示意匠部２３の一部、この場合、表示意匠部２３の両端領域がはみ出てしまい、この部分が有効照明範囲Ｅに対応しなくなるため、表示意匠部２３の両端領域の発光輝度が不足しやすいものであるが、本例では第２の円錐面５６において、両端に位置する第２の反射面５６２の傾斜角θ２を第１の反射面５６１の傾斜角θ１よりも小さくすることによって、第２の反射面５６２を通じて反射され表示意匠部２３に向かう光をできる限り目盛り板２に対して鉛直方向に近づけ、これにより表示意匠部２３端部の輝度不足を補い、表示意匠部２３を全体的に明るくしかも略均一に照明するようにしている。
【００３５】
また本例では、第２の円錐面５６には、型による射出成形の際にシボ付けを行うようにして図示しない反射処理部を設けており、この反射処理部により導光体５外に透過する光を抑制し、照明効率を高めている。なおこのような反射処理部に換えて第２の円錐面５６に白色系の印刷膜または塗装膜等による図示しない反射膜を形成してもよい。
【００３６】
回路基板６は、ガラスエポキシ樹脂などからなる硬質の回路基板であり、反射体４を挟んで目盛り板２の背後に配置され、計器本体７から伸びる指針軸７１が貫通する貫通孔を備えている。この回路基板６の前面には、指針１を発光させる光源８と表示意匠部２３を発光させる光源９とが搭載され、これら光源８，９は、共に発光ダイオードからなる点状光源が使用され、例えば光源８の発光色は赤色、光源９の発光色は白色（無彩色）に設定されている。なおこの場合、反射体４の筒部４１は、発光色の異なる各光源８，９の放射光が混合することを防止する遮光壁としても機能する。
【００３７】
駆動装置７は、従来からよく知られている交差コイル式計器やステッピングモータからなり、回路基板６の背面に配置され、指針１を指針軸７１を介して駆動するものである。
【００３８】
このように構成された本実施例の水温計において、光源８が点灯すると、光源８から発せられた光は、第１の導光体３を通じて指針１の基部１２に導かれ、指針１を赤色に照明する。
【００３９】
一方、光源９が点灯すると、光源９から発せられた光は、受光面５１を介して第２の導光体５内に導入され、光導入部５３を通じて第１の円錐面５４に到達し、この部分によって回転軸７１から離れる方向に向けて放射状に反射・拡散され、このように反射・拡散された光は、導光部５５を通じて第２の円錐面５６に到達し、この部分によって照射面５２（表示意匠部２３）側に反射され、表示意匠部２３を透過照明する。
【００４０】
以上のように本実施例による水温計からなる照明装置は、駆動装置７の回転軸７１よって軸回り駆動される指針１に対応して、透光性の表示意匠部２３が円弧状に配列もしくは形成された目盛り板（表示部材）２と、この目盛板２の背後に配置され表示意匠部２３を透過照明する点状の光源９と、この光源９と目盛り板２との間に光源９からの光を表示意匠部２３に導く第２の導光体（導光体）５とを備えている。第２の導光体５は光源９からの光を導入する受光面５１と、表示意匠部２３を含む大きさの円弧面に形成され光源９の光を表示意匠部２３に照射する照射面５２と、受光面５１から導入した光を放射方向に反射する第１の円錐面５４と、この第１の円錐面５４を取り巻くように表示意匠部２３を含む大きさに形成され第１の円錐面５４からの光を照射面５２に向けて反射する第２の円錐面５６とを有することにより、少ない数の光源９、最も好ましくは単一の光源９により、円弧状に設けられた表示意匠部２３を効率よく照明することができる。
【００４１】
すなわち、受光面５１に対応する第１の円錐面５４によって、光源９からの光は回転軸７１から離れる放射方向に略均一に反射・拡散され、このように反射・拡散された光は、表示意匠部２３を含む大きさに形成された第２の円錐面５６を通じて表示意匠部２３側に反射され、照射面５２を通じて表示意匠部２３を効率良く透過照明することができる。これにより光源９からの光を効率良く表示意匠部２３に導くことができるため、少ない数の光源９で表示意匠部２３を効率よく照明することができる。
【００４２】
また本実施例では、第２の円錐面５６を回転軸７１を中心とする円錐面に設定したことにより、第２の円錐面５６の形状を表示意匠部２３の形状に対応させることができ、照明効率を高めることができる。
【００４３】
また本実施例では、第２の円錐面５６を傾斜角θ１，θ２が互いに異なる第１の反射面５６１と第２の反射面５６２とで構成したことにより、照明対象となる表示意匠部２３の中心（回転軸７１）と、これを照明する光源９の中心（光軸中心Ｌ２）とが一致しないことに起因して生じる表示意匠部２３の輝度不足を抑制し、表示意匠部２３全体を明るく、略均一に照明することができる。
【００４４】
また本実施例では、第２の円錐面５６にシボ付けによる反射処理部を施したことにより、導光体５の外部に透過する光を抑制して反射効率を高め、照明効率を向上させることができる。
【００４５】
また本実施例では、第２の円錐面５６を含む導光体５の周囲外面（背面）を反射壁部４２によって覆ったことによっても、導光体外に透過する光を抑制て反射効率を高め、照明効率を向上させることができる。
【００４６】
また本実施例では、光源９を１つだけとしたことにより、コストダウンを図ることができる。
【００４７】
また本実施例では、指針１を照明する第１の導光体３と表示意匠部２３を照明する第２の導光体５とを一体部品としたことにより、部品点数を削減し、コストダウンを図ることができる。
【００４８】
図６，図７は、本発明の第２の実施例として、導光体に設ける受光部の変形例を示すもので、図６は、本実施例による導光体の背面図、図７は図６のＤ−Ｄ線に沿った断面図である。
【００４９】
これら図面において、導光体５の受光部５１は、第１の受光部５１１と第２の受光部５１２とを有している。第１の受光部５１１は、光源９の少なくとも光軸中心Ｌ３及びその周辺領域と対向する扇形平面からなり、光軸中心Ｌ３の延長方向とは直交する方向に延び、光軸中心Ｌ３の延長線上を含むその周辺領域に対向している。第２の受光部５１２は、中心軸Ｌ１を中心とし、この中心軸Ｌ１とは異なる方向に延びる仮想線を回転させて形成される円錐斜面（円錐面）からなり、光軸中心Ｌ３の延長線上から外れた位置に設けられている。そしてこの第２の受光面５１２は、本実施例では、第１の受光面の外縁に沿って形成される山形の突出部５１３の光源９側壁面によって、光源９側（光源９の発光中心）を向く斜面であって、光源９もしくはその光軸中心Ｌ３の外側を取り巻くように形成されている。
【００５０】
このように本実施例では、受光部５１を光源９の光軸中心Ｌ３に対応する第１の受光面５１１と、光軸中心Ｌ３を外れた位置に形成される第２の受光面５１２とで形成し、光軸中心Ｌ３付近の光を第１の受光面５１１で受光し、光軸中心Ｌ３から所定角度傾いて放射された光を第２の受光面５１２で受光することにより、光源９の光を効率よく導光体５内に導入することができ、これにより導光体５内への導入光量を増加させることができ、照明効率を向上させることができる。
【００５１】
すなわち、光軸中心Ｌ３付近の光を光軸中心Ｌ３とは略直交する平面となした第１の受光面５１１で受光することで、光軸中心Ｌ３付近からの光が導光体５の外壁面で外部に反射するのを抑えて光導入効率を向上させ、また光軸中心Ｌ３から所定角度傾いて放射された光を、光軸中心Ｌ３を取り巻く円錐面からなる第２の受光面５１２で受光するたことにより、光軸中心Ｌ３から所定角度傾いて放射された光が導光体５の外壁面で外部に反射するのを抑えて光導入効率を向上させることができ、これにより導光体５内に導入する光量を増加させ、前記第１の実施例よりも照明効率を向上させることができる。
【００５２】
なお本実施例では、第２の受光面５１２を図６に示した背面視において、中心軸Ｌ１を中心とした扇形の円錐斜面に形成したが、本発明の第３の実施例として図８に示すように、光軸中心Ｌ３を中心とした扇形の円錐斜面に形成してもよい。また本実施例では、第２の受光面５１２を図７に示す断面図において、直線状の傾斜面としたが、本発明の第４の実施例として図９に示すように、曲面に形成してもよく、要は光源９（光源９の発光中心）側を向く円錐斜面であれば、形状は任意である。また光源９は発光ダイオードに限らず点状光源であれば、任意の光源を適用でき、例えばタングステンランプ（白熱バルブ）であってもよい。
【００５３】
【発明の効果】
以上、本発明により、初期の目的を達成することができ、少ない数の点状光源にて表示意匠部を効率よく照明することが可能な照明装置を提供することができる。
【図面の簡単な説明】
【図１】本発明の第１の実施例における水温計の正面図。
【図２】図１のＡ−Ａ線に沿った断面図。
【図３】同上実施例に使用される導光体の正面図。
【図４】同上実施例に使用される導光体の背面図。
【図５】図４のＣ−Ｃ線に沿った断面図。
【図６】本発明の第２の本実施例による導光体の背面図。
【図７】図６のＤ−Ｄ線に沿った断面図。
【図８】本発明の第３の本実施例による導光体の背面図。
【図９】本発明の第４の本実施例による導光体の断面図。
【符号の説明】
１    指針
１１  指示部
１２  基部
１３  指針本体
１４  指針キャップ
１５  指針反射面
２    目盛り板（表示部材）
２１  ベース板
２２  貫通孔
２３  表示意匠部
２４  遮光層
３    第１の導光体
３１  出射部
４    反射体
４１  筒部
４２  反射壁部
５    第２の導光体（導光体）
６    回路基板
７    駆動装置
８，９  光源
５１  受光面
５２  照射面
５３  光導入部
５４  第１の円錐面
５５  導光部
５６  第２の円錐面
５１１  第１の受光部
５１２  第２の受光部
５１３  突出部
５６１  第１の反射面
５６２  第２の反射面
Ｌ１，Ｌ２  中心軸
Ｌ３  光軸中心
θ１，θ２  傾斜角
【図１】
0003624876.tif 000002
【図２】
0003624876.tif 000003
【図３】
0003624876.tif 000004
【図４】
0003624876.tif 000005
【図５】
0003624876.tif 000006
【図６】
0003624876.tif 000007
【図７】
0003624876.tif 000008
【図８】
0003624876.tif 000009
【図９】
0003624876.tif 000010